(57)【要約】【課題】コンテンツ情報に加え、これに関連した画像情報も適宜表示させることができる携帯型記録再生装置と方法を提供する。【解決手段】外部装置ＰＣと通信を行う通信部３３，３７と、コンテンツ情報を記録する記録部２５と、画像情報を表示する表示部３０と、通信部を介して外部装置に、表示部が表示可能な画像サイズ情報の通知を行い、更に所望のコンテンツ情報とこれに関連した画像情報との転送指示を行い、これらのコンテンツ情報と画像情報とを受け取ると、記録部にこれらを記録し更に読み出して再生しながら、関連する画像情報を表示部に表示するべく制御する制御部２４とを有する携帯型記録再生装置。【選択図】図１
2006115195.tif 000002
【特許請求の範囲】
【請求項１】
外部装置と通信を行う通信部と、
コンテンツ情報を記録領域に記録する記録部と、
画像情報を表示する表示部と、
前記通信部を介して前記外部装置に、前記表示部が表示可能な画像サイズ情報の通知を行い、更に所望のコンテンツ情報とこれに関連した画像情報との転送指示を行い、これらのコンテンツ情報と画像情報とを受け取ると、前記記録部にこれらを記録し更に読み出して再生しながら、前記関連する画像情報を前記表示部に表示するべく制御する制御部と、
を具備することを特徴とする携帯型記録再生装置。
【請求項２】
前記制御部は、前記外部装置との間で認証処理を行う際に、前記表示部が表示できる前記画像サイズ情報を前記外部装置に送信することを特徴とする請求項１記載の携帯型記録再生装置。
【請求項３】
前記制御部は、前記外部装置から前記コンテンツ情報を受けると、前記コンテンツ情報のヘッダ部分から前記画像情報を抽出して、抽出した画像情報を前記表示部に表示するべく制御する請求項１記載の携帯型記録再生装置。
【請求項４】
前記制御部は、前記外部装置と認証処理を行う際に、前記表示部が表示できる画像サイズ情報として、３２０×２４０画素と、１６０×１２０画素と、７５×７５画素のうちのどれかを送信することを特徴とする請求項１記載の携帯型記録再生装置。
【請求項５】
前記制御部は、前記外部装置から複数の前記コンテンツ情報とこれに関連した画像情報とを受けると、前記複数のコンテンツ情報の再生に応じて、複数の画像情報を関連付けながら順番に表示していくことを特徴とする請求項１記載の携帯型記録再生装置。
【請求項６】
前記制御部は、前記外部装置から複数の前記コンテンツ情報のグループと、このグループに対応する一つの画像情報とを受けて、このグループの前記複数のコンテンツ情報を再生している間は、このグループに対応する一つの画像情報を表示部に表示することを特徴とする請求項１記載の携帯型記録再生装置。
【請求項７】
前記制御部は、前記外部装置に前記コンテンツ情報と、これに応じた画像情報及び歌詞情報とを要求し、前記コンテンツ情報、前記画像情報、前記歌詞情報を受けると、前記コンテンツ情報を再生しながら、前記画像情報又は前記歌詞情報を前記表示部に表示することを特徴とする請求項１記載の携帯型記録再生装置。
【請求項８】
前記制御部は、ユーザの指示に応じて、前記画像情報と前記歌詞情報との前記表示部への表示を切り替えることを特徴とする請求項７記載の携帯型記録再生装置。
【請求項９】
記録装置とこれと通信可能な携帯型記録再生装置とを有する記録再生システムであって、
前記記録装置は、コンテンツ情報とこれに関連した画像情報とを記録する第１記録部と、
前記携帯型記録再生装置と通信を行う第１通信部と、
前記第１通信部が転送指示を受けると、指示に応じたコンテンツ情報とこれに関連した画像情報とを前記第１記録部から読み出して、与えられる画像サイズ情報に基づいて前記画像情報を縮小してから前記コンテンツ情報と共に前記第１通信部を介して転送するべく制御する第１制御部とを有しており、
前記携帯型記録再生装置は、前記記録装置の前記第１通信部と通信を行う第２通信部と、
前記コンテンツ情報を記録領域に記録する第２記録部と、
前記画像情報を表示する表示部と、
前記画像サイズ情報の通知を行い、更に所望のコンテンツ情報とこれに関連した画像情報との転送指示を前記第２通信部を介して前記記録装置に行い、これらのコンテンツ情報と画像情報とを前記第２通信部を介して受け取ると、前記記録部にこれらを記録し、更に読み出して再生しながら、前記関連する画像情報を前記表示部に表示するべく制御する第２制御部とを有していることを特徴とする記録再生システム。
【請求項１０】
前記携帯型記録装置は、前記記録装置と認証処理の際に、前記表示部が表示できる前記画像サイズ情報を前記外部装置に送信することを特徴とする請求項９記載の記録再生システム。
【請求項１１】
前記記録装置は、前記転送指示を受けると、前記コンテンツ情報のヘッダ部分に前記画像情報を添付して、前記携帯型記録再生装置に送信することを特徴とする請求項９記載の記録再生システム。
【請求項１２】
前記記録装置は、前記転送指示を受けると、前記コンテンツ情報と同じ名前で拡張子のみが異なる画像情報を同一フォルダ内又は画像用フォルダ内に探すことで、前記画像情報を特定して、前記携帯型記録再生装置に送信することを特徴とする請求項９記載の記録再生システム。
【請求項１３】
前記記録装置は、前記転送指示を受けると、前記コンテンツ情報とこれに関連した画像情報に加え、前記コンテンツ情報に応じた歌詞情報も検出し添付して、前記携帯型記録再生装置に送信することを特徴とする請求項９記載の記録再生システム。
【請求項１４】
前記記録装置の第１制御部は、前記転送指示を受けると、前記コンテンツ情報の管理情報を検出し、通信機能を用いてインターネットを介して、前記管理情報に基づく管理情報や歌詞情報を取得し、これを前記コンテンツ情報に添付して前記第１通信部を介して前記携帯型記録再生装置に送信することを特徴とする請求項９記載の記録再生システム。
【請求項１５】
前記記録装置の第１制御部は、前記転送指示に応じて、複数の前記コンテンツ情報を格納する１フォルダと、このフォルダに対応する一つの画像情報とを検出して、これを前記コンテンツ情報に添付して前記第１通信部を介して前記携帯型記録再生装置に送信することを特徴とする請求項９記載の記録再生システム。
【請求項１６】
前記記録装置の第１制御部は、前記転送指示に応じて、複数の前記コンテンツ情報のグループと、このグループに対応する一つの画像情報とを検出して、これを前記コンテンツ情報に添付して前記第１通信部を介して前記携帯型記録再生装置に送信することを特徴とする請求項９記載の記録再生システム。
【請求項１７】
前記携帯型記録再生装置は、充電機能をもった電源部を有しており、更に、前記記録再生システムは、前記携帯型記録再生装置の本体を格納して、前記電源部に電源を供給するための電源装置を有しており、
前記記録装置と前記携帯型記録再生装置とは、この電源装置が本体に有している通信路を経由して通信を行うことを特徴とする請求項９記載の記録再生システム。
【請求項１８】
コンテンツ情報とこれに関連した画像情報とを記録する第１記録部と、前記携帯型記録再生装置と通信を行う第１通信部とを有する記録装置と、
前記記録装置の前記第１通信部と通信を行う第２通信部と、前記コンテンツ情報を記録領域に記録する第２記録部と、前記画像情報を表示する表示部とを有する前記携帯型記録再生装置と、
を具備する記録再生システムに対して、
前記携帯型記録再生装置においては、前記表示部が表示可能な画像サイズ情報の通知を行い、更に所望のコンテンツ情報とこれに関連した画像情報との転送指示を前記第２通信部を介して前記記録装置に行い、
前記記録装置においては、前記第１通信部が転送指示を受けると、指示に応じたコンテンツ情報とこれに関連した画像情報とを前記第１記録部から読み出して、前記画像サイズ情報に基づいて縮小してから前記コンテンツ情報と共に前記第１通信部を介して前記携帯型記録再生装置へ転送し、
前記携帯型記録再生装置においては、これらのコンテンツ情報と画像情報とを前記第２通信部を介して受け取ると、前記記録部にこれらを記録し、更に読み出して再生しながら、前記関連する画像情報を前記表示部に表示するべく制御する記録再生システムの記録再生方法。
【請求項１９】
前記携帯型記録装置においては、前記記録装置と認証処理の際、又は認証処理後に、前記表示部が表示できる前記画像サイズ情報を前記外部装置に送信することを特徴とする請求項１８記載の記録再生方法。
【請求項２０】
前記記録装置においては、前記転送指示を受けると、前記コンテンツ情報のヘッダ部分に前記画像情報を添付して、前記携帯型記録再生装置に送信することを特徴とする請求項９記載の記録再生方法。
【発明の詳細な説明】
【技術分野】
【０００１】
この発明は、携帯型記録再生装置に関し、特に、画像情報を用いる携帯型記録再生装置、記録再生システム及び記録再生方法に関する。
【背景技術】
【０００２】
最近、オーディオ情報等をデジタルデータで処理することが一般化してきており、特に、携帯型記録再生装置が製造され普及してきつつある。このような携帯型記録再生装置においては、音楽を手軽に鑑賞することができ、又、オーディオ情報もファイル単位で操作できるため、従来装置に比べてアクセス性が飛躍的に向上している。しかし、携帯型オーディオ装置においては、オーディオ情報だけではなく、これに関連した画像をも楽しみたいとうニーズがある。
【０００３】
特許文献１は、オーディオ情報の再生に加えて、関連の画像情報も表示させることができる情報端末装置を開示している。
【特許文献１】特開２００２−１２３２７３号公報。
【発明の開示】
【発明が解決しようとする課題】
【０００４】
しかし、特許文献１の装置においては、画像の表示は行うことが示されているものの、携帯型オーディオ装置における比較的小さい画面に対する画像情報をどのように用意するかについては何も示されてはいないため、画像情報が大きすぎて、携帯型オーディオ装置のディスプレイにうまく表示されない、又は、表示に時間がかかるという問題がある。
【０００５】
本発明は、コンテンツ情報（オーディオ情報）に加えて、これに関連した画像情報も適宜表示させることができる携帯型記録再生装置、記録再生システム及び記録再生方法を提供することを目的とする。
【課題を解決するための手段】
【０００６】
本発明の一実施形態は、上記目的に応じて、外部装置と通信を行う通信部と、コンテンツ情報を記録領域に記録する記録部と、画像情報を表示する表示部と、前記通信部を介して前記外部装置に、前記表示部が表示可能な画像サイズ情報の通知を行い、所望のコンテンツ情報とこれに関連した画像情報との転送指示を行い、これらのコンテンツ情報と画像情報とを受け取ると、前記記録部にこれらを記録し更に読み出して再生しながら、前記関連する画像情報を前記表示部に表示するべく制御する制御部とを具備することを特徴とする携帯型記録再生装置である。
【発明の効果】
【０００７】
上記の携帯型記録再生装置においては、例えば、ＵＳＢ等で接続されたパーソナルコンピュータ等に、オーディオ情報等のコンテンツ情報だけではなく、これに関連した画像情報の転送指示を行うことで、例えば、特定のアーティストのアルバムに対応した、アーティストの肖像の画像を、ＬＣＤ（Liquid Crystal Display）等に表示するものである。このとき、携帯型記録再生装置からパーソナルコンピュータへ、表示部に表示するための画像サイズ情報を送信することが好適である。又は、あらかじめ、パーソナルコンピュータ上の画像送信のためのアプリケーションにこの画像サイズ情報を与えておくものである。これにより、パーソナルコンピュータ側では、転送指示に応じて、コンテンツ情報に対応した画像情報を、この画像サイズ情報にあわせて縮小してから、携帯型記録再生装置へと送信することができる。
【０００８】
こうすることにより、本発明に係る携帯型記録再生装置等によれば、オーディオ情報による例えば音楽の再生だけではなく、液晶画面にアーティストの画像や曲の歌詞等を瞬時に表示することで、音楽の視聴と同時に、視覚的にも快適に動作させることが可能となる。
【発明を実施するための最良の形態】
【０００９】
以下、この発明の実施の形態について図面を参照して詳細に説明する。
【００１０】
＜本発明の一実施形態である記録再生装置＞
以下、図面を参照して本発明の実施形態である記録再生装置について詳細に説明する。
【００１１】
図１は、本発明の一実施形態に係る携帯型記録再生装置とＰＣとの構成の一例を示すブロック図、図２は、同じく携帯型記録再生装置とＰＣとの一例を示す外観図、図３は、同じく携帯型記録再生装置とクレードルとＰＣとの構成の一例を示すブロック図、図４は、同じく携帯型記録再生装置とクレードルとＰＣとの構成の他の一例を示す外観図である。
【００１２】
本発明の一実施形態である記録再生装置Ｇは、図１乃至図４において、映像・音声入力部２１と映像・音声出力部２８とに接続される映像・音声処理集積素子３１と、これに接続される中央処理装置であり制御部であるＣＰＵ２４と、これに接続される記憶領域であるＲＡＭ１１と、同様にＣＰＵ２４に接続されるハードディスク２５と、同様にＣＰＵ２４に接続される内蔵される記憶領域であるフラッシュメモリ３２と、コンテンツ情報の暗号処理を行う暗号部４０と、同様にＣＰＵ２４に接続される操作情報等を表示する液晶表示部３０と、同様にＣＰＵ２４に接続される操作スイッチ２９と、ＵＳＢ制御部３３と、ＵＳＢ端子３７と、電源部３５とを有している。フラッシュメモリ３２は、ＳＤメモリカード、又は、ＰＣカード等のデータを読み書き可能な記録媒体でもよい。又、ＵＳＢ端子に限らず、他のインタフェース、例えば、Ｉ−Ｌｉｎｋであってもかまわない。
【００１３】
マイクロプロセッサ２４には、この携帯型記録再生装置Ｇの音声録音や映像記録、音声・映像再生又は動作電源オフ等の操作入力用のスイッチを有した操作スイッチ２９と、この操作スイッチ２９からの入力に応じて、携帯型記録再生装置Ｇの動作状態を示す液晶表示部３０が接続されている。液晶表示部３０は、携帯型記録再生装置Ｇを操作するときのメニュー画面等のＧＵＩ（グラフィックユーザインターフェース）を表示する。
【００１４】
又、Ａ／Ｄ回路２２、符号化圧縮回路２３、復号化伸張回路２６、及びＤ／Ａ回路２７は、１チップの映像・音声処理集積素子（以下、映像・音声処理ＩＣという）３１で構成されている。
【００１５】
又、携帯型記録再生装置Ｇは、更に、ＣＰＵ２４に接続された、例えばブルートゥース（Blue tooth）等の近距離無線通信のインタフェースである無線通信部１２を有している。ここで、ブルートゥース（Blue tooth）とは、１０ｍ程度の近距離無線通信のインタフェース規格であり、最大通信速度は１Ｍビット／秒であって、ＩＥＥＥ８０２．１１ｂ方式無線ＬＡＮと同じ２．４ＧＨｚ帯の周波数を使うものである。
【００１６】
又、無線通信部１２は、ブルートゥースに限らず、同等の近距離無線通信であればよく、例えば、ＵＷＢ規格，赤外線通信規格、無線ＬＡＮ（ＩＥＥＥ８０２．１１ｂ）規格等の規格が好適であるがこれらに限るものではない。
【００１７】
又、電源装置であるクレードルＣは、図３乃至図４において、ＵＳＢ端子３７に接続されるＵＳＢハブ４１を有している。更に、クレードルＣは、家庭用交流電流ＡＣ１００Ｖを、例えば、直流のＤＣ１２Ｖ等に変換して、この直流電流を電源入力端子を介して携帯型記録再生装置Ｇの電源部（バッテリ）３５に供給する電源部４２を有している。
【００１８】
又、更に、本発明に係る携帯型記録再生装置Ｇは、図１乃至図３に示すように、クレードルＣを介して、パーソナルコンピュータＰＣにＵＳＢケーブル６１等で接続される。ここで、コンテンツ情報を格納している（携帯型記録再生装置Ｇから見て）外部装置であるパーソナルコンピュータＰＣは、一例として、ＣＰＵ、各種動作プログラムを格納するＲＡＭ、ＲＯＭ等を有する制御部５１と、データバスを介して、液晶ディスプレイ等の表示部５２と、オーディオ情報等のコンテンツ情報を格納するハードディスクドライブ５５と、ＣＤ（Compact Disc），ＤＶＤ（Digital Versatile Disc）等の光ディスクドライブ５６と、キーボード等の操作部５７と、ＵＳＢ等のＩ／Ｆ部５４と、イーサネット（登録商標）（登録商標）等のインターネットに接続可能な通信部５３とを有しており、図４に示すように、ＩＥＥＥ８０２．１１ｂ等の無線ＬＡＮＩ／Ｆ部５８を有していることも好適である。
【００１９】
本発明に係る携帯型記録再生装置Ｇは、このような構成により、以下のように再生処理を行う。携帯型記録再生装置Ｇは、基本的に初期設定として与えられた動作モードに応じて、上述した操作スイッチ２９から与えられた操作情報に従って、このマイクロプロセッサ２４の制御下において、ハードディスク２５又は内蔵されたフラッシュメモリ３２から読み出されたデジタル符号化圧縮データが、復号化伸張回路２６でデータ伸張され、復号化してデジタル映像・音声信号に変換される。この復号化伸張回路２６で生成されたデジタル映像・音声信号は、デジタル／アナログ変換回路（以下、Ｄ／Ａ回路という）２７でアナログ映像・音声信号に変換され、増幅回路とスピーカ又はディスプレイから構成される映像・音声出力回路２８へと供給されることで、再生処理がなされるものである。
【００２０】
又、更に、本発明に係る記録再生装置である携帯型記録再生装置Ｇは、基本的に初期設定として与えられた動作モードに応じて記録処理を行うものである。すなわち、上述した操作スイッチ２９から与えられた操作情報に従って、ＵＳＢ端子３７（又は映像音声入力部２１等）を経由して取得したデジタルコンテンツ情報（映像音声入力部２１等経由の際はアナログコンテンツ情報）を、例えば、暗号部４０で暗号化して、ハードディスク２５や、フラッシュメモリ３２へと記録する。又、これらの処理における操作情報は、携帯型記録再生装置Ｇに設けられた操作スイッチ２９（リモコン含む）らユーザの操作により与えられるものであるが、後述するように、ＵＳＢ端子４５や無線通信部１２を介して、クレードルやＰＣ等から与えられるものであってもよい。
【００２１】
又、更に、本発明に係る記録再生装置である携帯型記録再生装置Ｇは、基本的に初期設定として与えられた動作モードに応じて再生処理を行うものである。すなわち、上述した操作スイッチ２９から与えられた操作情報に従って、他に、ハードディスク２５又は内蔵されたフラッシュメモリ３２から読み出されたデジタルデータ等を対照として編集処理等を行うことも可能である。又、これらの処理における操作情報は、携帯型記録再生装置Ｇに設けられた操作スイッチ２９（リモコン含む）からユーザの操作により与えられるものであるが、後述するように、ＵＳＢ端子４５や無線通信部１２を介して、クレードルやＰＣ等から与えられるものであってもよい。
【００２２】
＜画像情報の転送処理・表示処理＞
次に、コンテンツ情報に関連の画像情報及び関連情報の転送処理及び表示処理をフローチャート等を用いて説明する。図５は、本発明の一実施形態に係る携帯型記録再生装置のオーディオ情報のデータフォーマットの一例を示す図、図６は、同じく携帯型記録再生装置のための画像ファイルの転送処理の一例を示すフローチャート、図７は、同じく携帯型記録再生装置のための画像ファイルの転送処理の一例を示すフローチャート、図８は、同じく携帯型記録再生装置のための画像ファイルの転送処理の一例を示すフローチャートである。
【００２３】
本発明に係る携帯型記録再生装置Ｇと、これに接続されるパーソナルコンピュータＰＣは、コンテンツ情報（オーディオ情報）だけではなく、これに関連した画像情報をも転送して液晶画面等の表示部にて表示するものである。
【００２４】
携帯型記録再生装置Ｇ及びパーソナルコンピュータＰＣにおいて、図１乃至図４のブロック図及び図６のフローチャートに示すように、初めに、携帯型記録再生装置ＧとパーソナルコンピュータＰＣとは、例えば、ＵＳＢケーブル６１等で接続される（Ｓ１１）。そして、パーソナルコンピュータＰＣ上の、転送アプリケーションを起動する（Ｓ１２）。この状態で、パーソナルコンピュータＰＣ上の転送アプリケーションは、接続されている携帯型記録再生装置Ｇから識別情報を取得し、認証処理を行う（Ｓ１３）。ここで、認証処理は成功すれば（Ｓ１４）、パーソナルコンピュータＰＣ上のアプリケーションから、携帯型記録再生装置Ｇの記録媒体のファイル状況を観察することができるようになる。なお、この認証処理の際に、又は、認証処理が成功した後に、携帯型記録再生装置Ｇの表示部３０で表示できる画像情報の画像サイズ情報を、ＵＳＢケーブル等を介して、パーソナルコンピュータＰＣへと転送することが好適である。しかし、この画像サイズ情報は、次の転送要求の際に行うものであってもよい。
【００２５】
ここで、画像サイズ情報とは、一例として、３２０×２４０画素、１６０×１２０画素、７５×７５画素等が好適であるが、もちろん、これらに限定されるものではなく、表示部３０の仕様に応じて、どのような値を設定することも可能である。
【００２６】
次に、例えば、ユーザの携帯型記録再生装置Ｇの操作スイッチ２９等の操作に応じて、コンテンツ情報、ここでは、オーディオ情報のデータ転送の要求があると（Ｓ１５）、更に、オーディオ情報に添付すべき画像情報等がパーソナルコンピュータＰＣの、例えば、ＣＤドライブ５６やハードディスクドライブ５５の所定領域に存在するかどうかが判断される（Ｓ１６）（ここで、添付すべき画像情報等が存在しないとなると、オーディオ情報のみが携帯型記録再生装置Ｇに転送される（Ｓ２１））。
【００２７】
この判断は、例えば、指定されたオーディオ情報と同じ名前で拡張子のみが異なる画像情報が、同一フォルダ内又は画像用フォルダ内にあるかどうか探し、あればそれを該当の画像情報と判断する方法が好適である（Ｓ１７）。又、転送しようとするオーディオ情報のヘッダに画像を格納する仕組みが用意されている場合は、ヘッダにすでに画像情報が存在するかを確認する。画像保存専用フォルダはＯＳ（Operating System）によって管理される場合が一般的なので、ＯＳに対して特定のＡＰＩコマンドを発行して確認する。
【００２８】
次に、オーディオ情報と画像情報の関連付けをＯＳがサポートしているならば、ＯＳに対してＡＰＩコマンドを発行して、関連付けされた画像情報がないかを確認することが好適である。
【００２９】
又、図７のステップＳ３１に示すように、転送アプリケーションの画面上で、ユーザの操作に応じて、逐一、オーディオ情報と対応付けて、任意の所望の画像情報を割り当てるということで、画像情報が指定される方法も好適である。
【００３０】
又、更に、図８のステップＳ４１に示すように、ユーザが指定したオーディオ情報の管理情報を検出し、その後、この管理情報に応じた画像をＣＤドライブ５６やハードディスク内に検索して見つかればこれを目的の画像とする方法が好適である。又は、この管理情報に基づいて、図１の通信部５３を介して、インターネット上の音楽データベースのサイトにアクセスし、管理情報に応じた画像ファイルを検出して、これをダウンロードすることが好適である（Ｓ４２）。更に、この管理情報に応じて、画像情報だけではなく、特に、オーディオ情報の歌詞情報や、アーティスト情報、アルバム製作年度等の関連情報をダウンロードして、関連情報として、携帯型記録再生装置Ｇに送付することも好適である。
【００３１】
又、ここまで、オーディオ情報と画像情報との割付について、一つのオーディオ情報と一つの画像情報とが割り付けられることを前提に説明してきたが、例えば、フォルダ、又は分類カテゴリに対して、一つ又は複数の画像情報を割り付ける場合もある。
【００３２】
例えば、アルバム毎にフォルダを作成し、その中にトラックに相当するファイルを保存する場合、フォルダに対してジャケット写真を割り付けたくなる。フォルダは、ＯＳのファイルシステムによりその構造が規定されているので、これに対して画像情報を付加するのは困難である。このような場合は画像情報の名前をフォルダ名と同じにするルールを作成して管理する。又、関連付けを規定するデータベースを作成することも、フォルダと画像情報とを対応付けることが可能である。これにより、転送指示に応じて、複数のオーディオ情報を格納する１フォルダと、このフォルダに対応する画像情報とを検出して、これをオーディオ情報に添付して、通信部を介して携帯型記録再生装置Ｇに送信することが可能となる。又、フォルダに限定せずに、単にグループとか所定の範疇でオーディオ情報が一まとめに扱われ、これに対応付けた画像情報等の関連情報が検出されることが好適である。
【００３３】
・画像情報のリサイズ
次に、このように検出された画像は、与えられた画像サイズ情報に応じてリサイズされる（Ｓ１８）。これは、すなわち、通常、画像情報はデジタルカメラなどで撮影したデータなので、画像サイズが水平２０４８画素、垂直１５３６画素と大きなものになっていることが多い。しかし、携帯型記録再生装置Ｇに搭載しているＬＣＤ表示部で表示できるサイズはそれに比べるとかなり小さいものである。この実施形態では、パソコンから画像情報を転送するときに、携帯型記録再生装置Ｇで表示しやすいサイズに変換してデータ転送することにより、携帯型記録再生装置Ｇで瞬時に画像表示することが可能となる。
【００３４】
携帯型記録再生装置Ｇの表示部３０で表示可能な画像サイズ情報を、例えば、ステップＳ１３の認証処理において取得するが、オーディオ情報の転送要求時に通知するものであってもかまわない。
【００３５】
画像サイズの変換は、一例として、画像ファイル添付の時に行うことが好適である。ここで、例えば、ここでＬＣＤ表示部３０の表示可能サイズが水平３２０画素、垂直２４０画素であった場合は、画像サイズを２０４８×１５３６画素から３２０×２４０画素に変換する。更に、小さくして、１６０×１２０画素や、７５×７５画素にすることも考えられるがこれらに限るものではない。
【００３６】
画像サイズ変換することにより、携帯型記録再生装置Ｇが画像表示する時に、一度画像を復号して、表示可能なサイズにサイズ変換する処理をする必要がなくなり、瞬時に画像情報を表示することが可能になる。
【００３７】
又、元の画像が２４ビットに対し、ＬＣＤ表示が８ビットや１６ビット等のようにビット数が低い場合は、減色処理もあわせて行うことも表示時時間を短縮させる効果がある。又、スキャン方向（トップからボトム又はボトムからトップ）の変換や点順次と面順次変換も必要に応じて行うことが好適である。
【００３８】
又、機器側の画面モードにより表示する画像サイズや表示形態（例えばモノクロ、上下／左右反転、白黒反転）が異なる場合は、それぞれの表示モードに必要な画像スペックを列挙し、これらにあった画像情報を作成することも好適である。
【００３９】
・ヘッダ部への添付
このようにリサイズされ適宜、画像処理された画像情報（画像情報に限らず、先にあげたように歌詞情報やアーティスト情報の関連情報も含む）は、オーディオ情報と共に、携帯型記録再生装置Ｇへと送信されるが、ここで、オーディオ情報の著作権保護をする場合は、オーディオ情報を符号化して転送することとなる。
【００４０】
更に、画像情報は、単にオーディオ情報と関連付けられて転送するだけではなく、図５に示すように、ヘッダ部に添付されて送信されることが好適である。すなわち、オーディオ情報に関連した画像情報（又は関連情報）が存在する場合は、画像情報等をオーディオ情報に添付する。
【００４１】
すなわち、図５の（ａ） は、著作権保護をしたデータ形式であり、通常のオーディオ情報のヘッダ部分に、ファイル情報、オーディオ情報、ＩＤ情報、画像情報等の情報が添付されており、又、オーディオ情報部分は暗号化されている。
【００４２】
ここで、ファイル情報とは、例えば、ファイルパスの文字列やタイムスタンプ情報等が記載されている。オーディオデータとは、例えば、オーディオフォーマット、サンプリング周波数、ビットレート、チャンネル数、再生時間、曲名、アーティスト名、アルバム名等の情報が記載されている。
【００４３】
ＩＤ情報とは、オーディオ情報を著作権保護する場合に、用いるユニークなＩＤ等の情報が記載されている。画像情報／画像データは、オーディオ情報に関連した画像情報が記載されている。画像情報は、例えばＪＰＧ／ＧＩＦ／ＢＭＰのような、パソコンで表示可能な画像情報フォーマットであり、例えば、歌詞情報や、アーティスト関連情報である。
【００４４】
又、もし、オーディオ情報の著作権を保護する必要が無ければ、（ｂ）に示すように、オーディオ情報のデータフォーマットにあるＩＤタグのようなものに画像情報を添付することも好適である。例えば、オーディオ情報フォーマットがＭＰ３の場合には、ＭＰ３ＩＤv２の画像フレームタグに添付する。
【００４５】
又、この例においては、画像情報等はファイルのヘッダに配置されているが、別のファイルに分割し、そのファイル名を画像ファイルの代わりにヘッダに保存することも可能である。
【００４６】
このように、画像情報等（関連情報含む）をパーソナルコンピュータＰＣから携帯型記録再生装置Ｇにオーディオ情報と一緒に転送し、一つのファイルにすることで、オーディオ情報と画像情報の関連付けを別途行う必要がなくなる。又、携帯型記録再生装置Ｇに転送した後、記録媒体内でデータを移動した場合にも、画像情報が一緒になっていることで、記録媒体内でオーディオ情報と画像情報との関係性を失うという危険も回避するものである。
【００４７】
このようにしてオーディオ情報に画像情報を添付して、又は、オーディオ情報を含む転送ファイルのヘッダ部分に画像情報を含ませて、携帯型記録再生装置Ｇに転送される（Ｓ１９）。
【００４８】
・再生方法
その後、携帯型記録再生装置Ｇでは、これらのオーディオ情報と画像情報等の関連情報とを、ＵＳＢケーブル６１等の通信路（又は図３に示すようにクレードルＣのＵＳＢハブ４１を経由して）を介して受信する。そして、携帯型記録再生装置Ｇでは、これらのオーディオ情報と画像情報等の関連情報とを、符号化されていれば復号してハードディスク２５等に記録する。更に、図示しない暗号部で暗号化した上で記録することも好適である。
【００４９】
そして、ユーザの操作に応じて、オーディオ情報（ファイル）を再生する際に、関連の画像情報がハードディスク２５等から読み出されて、表示部３０に表示される。ここでは、一つのオーディオ情報（ファイル）につき一つの画像情報の場合、オーディオ情報（ファイル）の再生に応じて、対応する画像情報が順次、更新されて表示される場合が好適である。又、複数のオーディオ情報（ファイル）につき、一つの画像情報が表示し続けられる場合も可能である。更に、一つのオーディオ情報（ファイル）に対し、複数の画像情報を順次、時間等に応じて、切り替えて再生することも好適である。
【００５０】
更に、画像情報だけではなく、オーディオ情報（ファイル）に応じて、歌詞情報を表示することも好適である。この場合、画像情報と歌詞情報とを、操作スイッチ２９等で切り替えて、任意に表示させることが好適である。
【００５１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。例えば、上記実施形態では、コンテンツ情報を主にオーディオ情報として説明しているが、本発明の実施形態はこれに限るものではなく、ビデオ情報その他、広く適用することが可能である。従って、本発明は、開示された原理と新規な特徴に矛盾しない広範な範囲に及ぶものであり、上述した実施形態に限定されるものではない。
【図面の簡単な説明】
【００５２】
【図１】本発明の一実施形態に係る携帯型記録再生装置とＰＣとの構成の一例を示すブロック図。
【図２】本発明の一実施形態に係る携帯型記録再生装置とＰＣとの一例を示す外観図。
【図３】本発明の一実施形態に係る携帯型記録再生装置とクレードルとＰＣとの構成の一例を示すブロック図。
【図４】本発明の一実施形態に係る携帯型記録再生装置とクレードルとＰＣとの構成の他の一例を示す外観図。
【図５】本発明の一実施形態に係る携帯型記録再生装置のオーディオ情報のデータフォーマットの一例を示す図。
【図６】本発明の一実施形態に係る携帯型記録再生装置のための画像ファイルの転送処理の一例を示すフローチャート。
【図７】本発明の一実施形態に係る携帯型記録再生装置のための画像ファイルの転送処理の一例を示すフローチャート。
【図８】本発明の一実施形態に係る携帯型記録再生装置のための画像ファイルの転送処理の一例を示すフローチャート。
【符号の説明】
【００５３】
Ｇ…携帯型記録再生装置、２２…アナログ／デジタル変換回路、２３…符号化圧縮回路、２４…ＣＰＵ、２５…メモリカード、２６…復号化伸張回路、２７…デジタル／アナログ変換回路、２９…操作スイッチ、３０…液晶表示部、３１…映像・音声処理ＩＣ、３２…フラッシュメモリ、３３…ＵＳＢ端子、３４…ＵＳＢコントローラ、３５…電源部。
【図１】
2006115195.tif 000003
【図２】
2006115195.tif 000004
【図３】
2006115195.tif 000005
【図４】
2006115195.tif 000006
【図５】
2006115195.tif 000007
【図６】
2006115195.tif 000008
【図７】
2006115195.tif 000009
【図８】
2006115195.tif 000010